(57)【要約】【課題】スイッチ部品の固定によるレイアウト上の制約を小さくすることのできるスイッチ部品の取付構造の提供を目的とする。【解決手段】車両１のバックドア２の外表面に操作部３を露出させてスイッチ部品４を固定するスイッチ部品の取付構造であって、  前記スイッチ部品４を保持するスイッチ保持部５を備え、該スイッチ保持部５に前記スイッチ部品４の操作部３を挿通させる挿通開口６が開設されてバックドア２のアウタパネル７に固定されるスイッチベース８と、  前記スイッチベース８に固定され、固定状態において前記スイッチ部品４を押さえ付けてスイッチ保持部５に固定するブラケット９とを有するスイッチ部品の取付構造【選択図】  図２
2019003851.tif 000002
【特許請求の範囲】
【請求項１】
車両のバックドアの外表面に操作部を露出させてスイッチ部品を固定するスイッチ部品の取付構造であって、
前記スイッチ部品を保持するスイッチ保持部を備え、該スイッチ保持部に前記スイッチ部品の操作部を挿通させる挿通開口が開設されてバックドアのアウタパネルに固定されるスイッチベースと、
前記スイッチベースに固定され、固定状態において前記スイッチ部品を押さえ付けてスイッチ保持部に固定するブラケットとを有するスイッチ部品の取付構造。
【請求項２】
前記ブラケットは、一端部がスイッチベースに形成される係止段部に係止されるとともに、他端部が適宜手段によりスイッチベースに連結されて固定され、中間部において前記スイッチ部品を押さえ付けて該スイッチ部品を固定する請求項１記載のスイッチ部品の取付構造。
【請求項３】
前記ブラケットは弾性を有する材料により板状に形成され、固定時の弾性復元力により前記スイッチ部品を押さえ付ける請求項１または２記載のスイッチ部品の取付構造。
【請求項４】
前記挿通開口は室内空間に連通して形成されるとともに、前記挿通開口周縁と前記スイッチ部品の対応部の双方に形成されるシール面の間にシール材が介装され、
前記ブラケットを固定した状態で、前記スイッチ部品は前記シール材のシール面圧増加方向に押圧される請求項１、２または３記載のスイッチ部品の取付構造。
【請求項５】
車両のバックドアの外表面に操作部を露出させてスイッチ部品を固定するスイッチ部品の取付構造であって、
先端が閉じられた筒形状を有してバックドアのアウタパネルから外部に突出し、中空部をスイッチ保持部として前記スイッチ部品を保持するとともに、底壁部に前記操作部が挿通する挿通開口が開設されて前記アウタパネルに固定されるスイッチベースと、
前記スイッチ保持部の開口端から挿入され、一端を前記スイッチ保持部の壁面に係止するとともに、他端をスイッチ保持部の開口端近傍にネジ止めして固定され、固定状態において中間部により前記スイッチ部品を押し付けてスイッチ保持部内に保持する弾性変形を有する材料により板状に形成されるブラケットとを有するスイッチ部品の取付構造。
【発明の詳細な説明】
【技術分野】
【０００１】
本発明はスイッチ部品の取付構造に関するものである。
【背景技術】
【０００２】
自動車のバックドアにスイッチ部品を取り付けるスイッチ部品の取付構造としては、特許文献１に記載のものが知られている。この従来例において、車両のテールゲート（バックドア）のアウターパネルには取付孔が開設され、該取付孔に嵌合するようにブラケット（スイッチベース）が固定される。
【０００３】
スイッチ部品であるロックスイッチ、およびオープンスイッチは基盤上に実装されており、この基盤が固定される取付板をスイッチベースにネジ止めして固定される。
【先行技術文献】
【特許文献】
【０００４】
【特許文献１】特開２０１１-６３１４６号公報
【発明の概要】
【発明が解決しようとする課題】
【０００５】
しかし、上述した従来例において、スイッチ部品はスイッチベースに直接ネジ止めされるために、該スイッチ部品のネジ止め位置、あるいはネジ止め方向が限定されることから、スイッチ部品の配置等のレイアウト上の制約が大きくなってしまうという問題がある。
【０００６】
とりわけ、バックドアのアウタパネルに開設される開口は車内に通じているために、スイッチ部品を当該開口から外部に露出させると、開口周りの防水シールを考慮する必要があり、さらに、スイッチ部品の配置等の制約が重なることとなる。
【０００７】
本発明は、以上の欠点を解消すべくなされたものであって、スイッチ部品の固定によるレイアウト上の制約を小さくすることのできるスイッチ部品の取付構造の提供を目的とする。
【課題を解決するための手段】
【０００８】
本発明によれば上記目的は、
車両１のバックドア２の外表面に操作部３を露出させてスイッチ部品４を固定するスイッチ部品の取付構造であって、
前記スイッチ部品４を保持するスイッチ保持部５を備え、該スイッチ保持部５に前記スイッチ部品４の操作部３を挿通させる挿通開口６が開設されてバックドア２のアウタパネル７に固定されるスイッチベース８と、
前記スイッチベース８に固定され、固定状態において前記スイッチ部品４を押さえ付けてスイッチ保持部５に固定するブラケット９とを有するスイッチ部品の取付構造を提供することにより達成される。
【０００９】
本発明において、バックドア２のアウタパネル７にはスイッチベース８が固定される。スイッチ部品４はスイッチベース８に連結され、連結状態においてスイッチベース８を押さえ付けるブラケット９を使用してスイッチベース８に固定される。
【００１０】
スイッチ部品４を直接固定することなく、ブラケット９により押さえ付けて固定する本発明において、スイッチ部品４の固定位置を適宜決定することができるために、レイアウト上の制約を小さくすることができる。
【００１１】
また、上記目的を達成するための本発明の他の態様として、
前記ブラケット９は、一端部がスイッチベース８に形成される係止段部１０に係止されるとともに、他端部が適宜手段によりスイッチベース８に連結されて固定され、中間部において前記スイッチ部品４を押さえ付けて該スイッチ部品４を固定するスイッチ部品の取付構造を構成することができる。
【００１２】
本発明において、スイッチベース８には係止段部１０が形成され、ブラケット９は一端部を上記係止段部１０に係止させた状態で他端部をネジ止め等によりスイッチベース８に連結して固定される。固定状態において、ブラケット９の中間部がスイッチ部品４を押し付けて該スイッチ部品４を所定位置に保持する。
【００１３】
一端部を係止した状態で他端部を連結することでブラケット９の固定、すなわち、スイッチ部品４の装着が完了する本発明において、装着作業性が向上する。
【００１４】
ブラケット９の係止は、自由端であっても、あるいは自由端近傍の側縁部であってもよく、さらに、反対端部のスイッチベース８への連結は、ネジ止め等、適宜手段によることが可能で、ブラケット９が弾性変形可能な場合には、弾性変形した状態でブラケット９を装着し、他端部をスイッチベース８に係止させることによって弾性復元力を利用して脱離を防止するように固定することもできる。
【００１５】
さらに、上記目的を達成するための本発明の他の態様として、
前記ブラケット９は弾性を有する材料により板状に形成され、固定時の弾性復元力により前記スイッチ部品４を押さえ付けるスイッチ部品の取付構造を構成することができる。
【００１６】
ブラケット９によるスイッチ部品４の押し付けは、例えば、ブラケット９のスイッチ部品４への当接部を弾性変形可能な構造に形成し、該当接部の弾性復元力によりスイッチ部品４を押し付けることによって、ガタつき、あるいは後述するシール性能の向上を図ることができるが、ブラケット９を弾性を有する材料、例えば、金属板材により形成し、ブラケット９自体の弾性変形を利用してスイッチ部品４を押し付けると、構造を簡単にすることが可能になる。
【００１７】
また、上記目的を達成するための本発明の他の態様として、
前記挿通開口６は室内空間に連通して形成されるとともに、前記挿通開口６周縁と前記スイッチ部品４の対応部の双方に形成されるシール面１１の間にシール材１２が介装され、
前記ブラケット９を固定した状態で、前記スイッチ部品４は前記シール材１２のシール面圧増加方向に押圧されるスイッチ部品の取付構造を構成した場合には、挿通開口６から室内への浸水を確実に防止することが可能になる。
【発明の効果】
【００１８】
本発明によれば、ブラケットを介してスイッチ部品を固定するために、スイッチ部品を直接ネジ等を使用して固定する場合に比して、レイアウト上の制約を小さくすることができる。
【図面の簡単な説明】
【００１９】
【図１】本発明を示す図で、（ａ）はバックドアを備えた車両を示す側面図、（ｂ）は背面図、（ｃ）は（ｂ）の1Ｃ部拡大図である。
【図２】本発明の要部を示す図で、（ａ）は図１（ｃ）の２Ａ-２Ａ線断面図、（ｂ）はブラケットの装着工程を示す断面図である。
【図３】スイッチベースを示す図で、（ａ）は正面図、（ｂ）は右側面図、（ｃ）は背面図、（ｄ）は（ｃ）の３Ｄ方向矢視図である。
【図４】スイッチ部品を示す図で、（ａ）は側面図、（ｂ）は（ａ）の４Ｂ方向矢視図、（ｃ）は（ａ）の４Ｃ方向矢視図、（ｄ）は（ａ）の４Ｄ方向矢視図である。
【図５】ブラケットを示す図で、（ａ）は平面図、（ｂ）は正面図、（ｃ）は右側面図である。
【発明を実施するための形態】
【００２０】
図１、２に示すように、本発明によるスイッチ部品４は、車両１のバックドア２に取り付けられて使用されるもので、バックドア２のフィニッシャー１３により覆われる領域に配置される。このスイッチ部品４は、ドアオープナーの操作スイッチとして機能しており、スイッチ部品４の操作部３を押下すると、車両１から利用者の所持する携帯器に対してリクエスト信号が送信され、このリクエスト信号に対する携帯器からの応答信号に含まれる認証用信号が車両１の認証装置により認証されると、図外のアクチュエータによりバックドア２の開放操作が行われる。
【００２１】
図２に示すように、スイッチ部品４を装着するためにバックドア２のアウタパネル７にはスイッチ取付開口７ａが開設され、このスイッチ取付開口７ａにスイッチベース８が固定される。
【００２２】
図２、３に示すように、スイッチベース８は上述したアウタパネル７のスイッチ取付開口７ａの周縁に当接する取付フランジ８ａと、取り付けフランジ８ａの中心部に突設され、アウタパネル７への固定状態においてスイッチ取付開口７ａから車両１外方に突出する中空の截頭四角錐形状をした筒状体８ｂとを有する。筒状体８ｂは突出先端は閉塞壁８ｃにより閉塞されており、中空部がスイッチ保持部５として使用される。
【００２３】
また、筒状体８ｂの閉塞壁８ｃには係止段部１０が形成されるとともに、底壁部には、挿通開口６が開設される。さらに、筒状体８ｂの基端部で底壁の延長部には円柱状膨隆部が８ｄが突設され、該円柱状膨隆部８ｄにネジ孔８ｅが形成される。挿通開口６の周囲には後述するスイッチ部品４に形成されるシール面１１に対応するシール面１１が形成される。
【００２４】
上記スイッチ部品４は、図２、４に示すように、スイッチハウジングから押しボタン状の操作部３を突出させて形成される。操作部３はスイッチハウジングの一端部に配置され、他端部には二股状の取付片４ａが下方に向けて延設される。また、スイッチハウジングには、上記操作部３を囲むようにシール面１１が形成される。
【００２５】
このスイッチ部品４は図２、および図３（ｃ）、（ｄ）に示すように、取付片４ａによりスイッチベース８の円柱状膨隆部８ｄを左右から挟み付け、操作部３を挿通開口６から露出させた姿勢で配置される。
【００２６】
また、図２に示すように、上記挿通開口６は室内空間に連通しているために、スイッチ部品４のハウジングとスイッチベース８の各々に形成されたシール面１１の間には、シール材１２が介装されて雨水等の室内への浸入が防止される。
【００２７】
図５に示すように、ブラケット９は、上記スイッチ部品４をスイッチベース８上に保持するために使用され、金属板材をＬ字形状に折り曲げて形成される。このブラケット９の一端部には上記スイッチベース８のネジ孔８ｅに対応する止着子挿通孔９ａが開設されるとともに、他端部は上記係止段部１０に係止可能な寸法に形成される。
【００２８】
したがって本例において、スイッチ部品４の装着は、シール材１２を介在させた状態でスイッチ部品４を所定の位置、すなわち、操作部３を挿通開口６から露出させた姿勢に保持し、次いで、ブラケット９を装着して行われる。
【００２９】
ブラケット９の装着は、図２（ｂ）に示すように、一端部をスイッチ保持部５の開口から挿入して先端部をスイッチベース８の係止段部１０に係止させた後、ブラケット９全体を係止段部１０との係止部を中心として図２（ｂ）において時計回りに回転させて止着子挿通孔９ａをネジ孔８ｅに合致させ、この後、ネジ孔８ｅにビス１４をねじ込んで行われる。
【００３０】
ブラケット９を装着した状態でスイッチ部品４は、上面がブラケット９の中間部により下方に押し付けられる。このことから、シール材１２には適宜のシール圧が付与されて挿通開口６から車内への浸水が確実に防止され、かつ、スイッチ部品４のガタツキ等が防がれる。
【００３１】
なお、以上において、スイッチベース８にはスイッチ部品４のみを保持する場合を示したが、ハンドル装置を回転自在に連結することも可能である。この場合、スイッチ部品４の操作部３を押下すると、車両１から利用者の所持する携帯器に対してリクエスト信号が送信され、このリクエスト信号に対する携帯器からの応答信号に含まれる認証用信号が車両１の認証装置により認証されると、バックドア２を閉塞状態に保持している図外のロック装置に対する施錠状態が解除され、この後、ハンドルを操作してロック装置のラッチを解除して開扉操作を行うことができる。
【符号の説明】
【００３２】
１        車両
２        バックドア
３        操作部
４        スイッチ部品
５        スイッチ保持部
６        挿通開口
７        アウタパネル
８        スイッチベース
９        ブラケット
１０      係止段部
１１      シール面
１２      シール材
【図１】
2019003851.tif 000003
【図２】
2019003851.tif 000004
【図３】
2019003851.tif 000005
【図４】
2019003851.tif 000006
【図５】
2019003851.tif 000007